(57)【要約】【課題】  相隣る建物ユニットと天井フレームの前面に庇を垂れ下がりなく取付けること。【解決手段】  離し置きされる建物ユニット１０、１０の間の離し置き空間の上部に天井フレーム２０を設け、庇３０、４０の庇構造材３１、４１が取付けられる持出しアーム５０を建物ユニット１０と天井フレーム２０の間の隙間から屋外方向に突出してなるもの。【選択図】  図１
2008255723.tif 000002
【特許請求の範囲】
【請求項１】
一方の建物ユニットを他方の建物構造物に対して離し置きし、それらの建物ユニットと建物構造物の間の離し置き空間の上部に設けられる天井フレームをそれらの建物ユニットと建物構造物に接合し、建物ユニットの梁の側面であって、天井フレームが接合される梁の側面に取付けられる持出しアームをそれらの建物ユニットと天井フレームの間の隙間から屋外方向に突出し、この持出しアームの突出部に庇の庇構造材が取付けられる庇の取付構造。
【請求項２】
前記持出しアームが建物ユニットの梁に取付けられるほぼ鉛直の建物取付部と、庇構造材が取付けられる庇取付部とからなり、
庇取付部は建物取付部が延長されたほぼ鉛直の本体と、この本体の下端に設けられたほぼ水平の水平片とからなり、
持出しアームの建物取付部が建物ユニットの梁に取付けられ、庇取付部の水平片の上に庇構造材の一部を載せた状態にして、庇構造材が持出しアームの本体に取付けられる請求項１に記載の庇の取付構造。
【請求項３】
前記持出しアームが建物取付部における庇取付部との境界からほぼ直角に張出る取付片を備え、この取付片が建物ユニットに取付けられる請求項２に記載の庇の取付構造。
【請求項４】
前記持出しアームの建物取付部を建物ユニットの梁に取付けるボルトが、該建物ユニットの梁に接合される天井フレームを搬入したときに該天井フレームを引掛けセットするための仮受け用ボルトになる請求項１〜３のいずれかに記載の庇の取付構造。
【請求項５】
前記持出しアームの水平片にガイドピンを設け、該水平片の上に載る庇構造材に設けてあるガイド孔をガイドピンに係入させる請求項２〜４のいずれかに記載の庇の取付構造。
【請求項６】
前記持出しアームの本体に取付けられる庇構造材が、建物ユニットの梁、又は天井フレームの梁に取付けられる請求項１〜５のいずれかに記載の庇の取付構造。
【発明の詳細な説明】
【技術分野】
【０００１】
本発明は庇の取付構造に関する。
【背景技術】
【０００２】
複数の建物ユニットからなるユニット建物における庇の取付構造として、特許文献１に記載の如く、相隣る建物ユニットの梁の間に持出しアームの建物取付部を挿入して該建物取付部をそれらの建物ユニットの梁に固定し、両建物ユニットの間の隙間から屋外方向に突出する持出しアームの突出部に庇構造材を取付けるものがある。持出しアームの建物取付部を相隣る建物ユニットの梁の間に挿入した長い範囲において強固に固定でき、庇を垂れ下がりなく取付けできる。
【特許文献１】特許第3792356号
【発明の開示】
【発明が解決しようとする課題】
【０００３】
特許文献１に記載の庇の取付構造は、相隣る建物ユニットの前面に庇を設けるとき、それらの建物ユニットの梁の間に持出しアームの建物取付部を挿入して固定し、この持出しアームの突出部に庇構造材を取付けるものである。従って、この従来の庇の取付構造は、一方の建物ユニットを他方の建物構造物に対して離し置きし、それらの建物ユニットと建物構造物の間の離し置き空間の上部に設けられる天井フレームをそれらの建物ユニットと建物構造物に接合した建物において、相隣る建物ユニットと天井フレームの前面に庇を設ける場合には、適用できない。
【０００４】
本発明の課題は、一方の建物ユニットを他方の建物構造物に対して離し置きし、それらの建物ユニットと建物構造物の間の離し置き空間の上部に設けられる天井フレームをそれらの建物ユニットと建物構造物に接合した建物において、相隣る建物ユニットと天井フレームの前面に庇を垂れ下がりなく取付けることにある。
【課題を解決するための手段】
【０００５】
請求項１の発明は、一方の建物ユニットを他方の建物構造物に対して離し置きし、それらの建物ユニットと建物構造物の間の離し置き空間の上部に設けられる天井フレームをそれらの建物ユニットと建物構造物に接合し、建物ユニットの梁の側面であって、天井フレームが接合される梁の側面に取付けられる持出しアームをそれらの建物ユニットと天井フレームの間の隙間から屋外方向に突出し、この持出しアームの突出部に庇の庇構造材が取付けられるようにしたものである。
【０００６】
請求項２の発明は、請求項１の発明において更に、前記持出しアームが建物ユニットの梁に取付けられるほぼ鉛直の建物取付部と、庇構造材が取付けられる庇取付部とからなり、庇取付部は建物取付部が延長されたほぼ鉛直の本体と、この本体の下端に設けられたほぼ水平の水平片とからなり、持出しアームの建物取付部が建物ユニットの梁に取付けられ、庇取付部の水平片の上に庇構造材の一部を載せた状態にして、庇構造材が持出しアームの本体に取付けられるようにしたものである。
【０００７】
請求項３の発明は、請求項２の発明において更に、前記持出しアームが建物取付部における庇取付部との境界からほぼ直角に張出る取付片を備え、この取付片が建物ユニットに取付けられるようにしたものである。
【０００８】
請求項４の発明は、請求項１〜３のいずれかの発明において更に、前記持出しアームの建物取付部を建物ユニットの梁に取付けるボルトが、該建物ユニットの梁に接合される天井フレームを搬入したときに該天井フレームを引掛けセットするための仮受け用ボルトになるようにしたものである。
【０００９】
請求項５の発明は、請求項２〜４のいずれかの発明において更に、前記持出しアームの水平片にガイドピンを設け、該水平片の上に載る庇構造材に設けてあるガイド孔をガイドピンに係入させるようにしたものである。
【００１０】
請求項６の発明は、請求項１〜５のいずれかの発明において更に、前記持出しアームの本体に取付けられる庇構造材が、建物ユニットの梁、又は天井フレームの梁に取付けられるようにしたものである。
【発明の効果】
【００１１】
（請求項１）
(a)一方の建物ユニットを他方の建物構造物に対して離し置きし、それらの建物ユニットと建物構造物の間の離し置き空間の上部に設けられる天井フレームをそれらの建物ユニットと建物構造物に接合した建物において、建物ユニットの梁の側面であって、天井フレームが接合される梁の側面に取付けられる持出しアームをそれらの建物ユニットと天井フレームの間の隙間から屋外方向に突出し、この持出しアームの突出部に庇の庇構造材が取付けられるようにした。持出しアームを建物ユニットと天井フレームの間に挿入した長い範囲において強固に固定できるから、建物ユニットと天井フレームの前面に庇を垂れ下がりなく取付けることができる。
【００１２】
（請求項２）
(b)持出しアームの建物取付部が建物ユニットの梁に取付けられ、庇取付部の水平片の上に庇構造材の一部を載せた状態にして、庇構造材が持出しアームの本体に取付けられる。庇の荷重の一部が庇取付部の水平片にかかり、この庇取付部から梁に伝達される。従って、庇は長期経過時にも垂れ下がらない。
【００１３】
(c)持出しアームの建物取付部を建物ユニットの梁に取付け、庇構造材の一部を庇取付部の水平片の上に載せながら、庇構造材を持出しアームの本体に取付けることにより、庇構造材を容易に取付けできる。
【００１４】
(d)持出しアームの庇取付部は建物取付部が延長されたほぼ鉛直な本体と、この本体の下端に設けられたほぼ水平な水平片とからなるから、持出しアームのほぼ鉛直な建物取付部を建物ユニットの梁に取付けるだけで、この建物取付部が延長されたほぼ鉛直な本体が建物ユニットから屋外方向に突出し、水平片が本体の下端に水平に取付けられる。
【００１５】
（請求項３）
(e)持出しアームが建物取付部における庇取付部との境界からほぼ直角に張出る取付片を備え、この取付片が建物ユニットに取付けられる。従って、持出しアームの建物取付部を建物ユニットに一層強固に固定できる。
【００１６】
（請求項４）
(f)持出しアームの建物取付部を建物ユニットの梁に取付けるボルトが、該建物ユニットの梁に接合される天井フレームを搬入したときに該天井フレームを引掛けセットするための仮受け用ボルトになるものとした。従って、建物ユニットの梁に対する天井フレームのセットが容易になる。このセットのために天井フレームを引掛ける仮受けボルトとして、持出しアームの建物取付部を建物ユニットの梁に取付けるボルトを兼用できる。
【００１７】
（請求項５）
(g)持出しアームの水平片にガイドピンを設け、該水平片の上に載る庇構造材に設けてあるガイド孔をガイドピンに係入させる。持出しアームの庇取付部に対する庇構造材の取付位置の位置決めが容易になる。
【００１８】
（請求項６）
(h)持出しアームの本体に取付けられる庇構造材が、建物ユニットの梁、又は天井フレームの梁に取付けられる。庇構造材を持出しアームの本体と、建物ユニット又は天井フレームの双方に確実に固定できる。
【発明を実施するための最良の形態】
【００１９】
図１は本発明が適用された一例としてのユニット建物の配置を示す模式平面図、図２は相隣る建物ユニットと天井フレームの前面に設けた庇の取付構造を示す平面図、図３は天井フレームを示す模式平面図、図４は持出しアームを示し、（Ａ）は平面図、（Ｂ）は側面図、（Ｃ）は端面図、図５は図４のＶ−Ｖ線に沿う断面図、図６は持出しアームの取付工程を示す模式図、図７は天井フレームの据付工程を示す模式図、図８は庇のセット工程を示す模式図、図９は庇の取付工程を示す模式図、図１０は庇の取付工程を示す模式図である。
【実施例】
【００２０】
図１に示すユニット建物１は、複数の建物ユニット１０、天井フレーム２０の組立体であり、一方の建物ユニット１０を他方の建物ユニット１０（他方の建物構造物）に対して離し置きし、それらの建物ユニット１０と建物ユニット１０の間の離し置き空間２の上部に設けられる天井フレーム２０をそれらの建物ユニット１０、１０に接合して構築される。
【００２１】
建物ユニット１０は、図２に示す如く、柱１１と、柱１１の上端部にジョイントピース１２Ａにより接続されて軒先にほぼ平行をなす横梁１２と、柱１１の上端部にジョイントピース１３Ｂにより接続されて横梁１２にほぼ直交する縦梁１３を有する。天井フレーム２０は、図３に示す如く、軒先にほぼ平行をなす横材２１と、横材２１にほぼ直交する縦材２２との枠組体であり、最前部の横材２１の両側面に固定プレート２３を設けてある（図７（Ｂ））。
【００２２】
ユニット建物１は、最前列の建物ユニット１０、天井フレーム２０の軒先に庇３０、４０を設けられる。庇３０は天井フレーム２０の前面に設けられ、庇４０は天井フレーム２０を挟む両隣りの建物ユニット１０、１０の前面に設けられ、庇３０の出寸法を庇４０の出寸法より大きくしている。
【００２３】
このとき、ユニット建物１は、図１、図２に示す如く、天井フレーム２０と、その両隣りの建物ユニット１０との間で、建物ユニット１０の縦梁１３の側面であって、天井フレーム２０が接合される縦梁１３の側面に取付けられる持出しアーム５０を、それらの建物ユニット１０と天井フレーム２０の間の隙間（据付間隔）から屋外方向に突出し、この持出しアーム５０の突出部に庇３０、４０の庇構造材３１、４１を取付ける。
【００２４】
持出しアーム５０は、図４、図５に示す如く、建物ユニット１０の縦梁１３の側面に取付けられるほぼ鉛直の建物取付部５１と、庇構造材３１、４１が取付けられる庇取付部５２とからなる。庇取付部５２は、建物取付部５１が延長されたほぼ鉛直の本体５２Ａと、この本体５２Ａの下端に溶接されて設けられたほぼ水平の水平片５２Ｂとからなる。持出しアーム５０の建物取付部５１が建物ユニット１０の縦梁１３に取付けられ、庇取付部５２の本体５２Ａに対する一方側にて水平片５２Ｂの上に庇構造材３１の一部を載せた状態にして（庇取付部５２の本体５２Ａに対する他方側にて水平片５２Ｂの上に庇構造材４１の一部を載せても可）、庇構造材３１（４１）が持出しアーム５０の本体５２Ａに取付けられる（図８〜図１０）。
【００２５】
持出しアーム５０は、図４に示す如く、建物取付部５１における庇取付部５２との境界からほぼ直角に張出る取付片５３を溶接されて備え、この取付片５３が建物ユニット１０の柱１１に取付けられる（図７）。
【００２６】
持出しアーム５０の建物取付部５１を建物ユニット１０の縦梁１３に取付けるボルト６２が、後述する如くに、建物ユニット１０の縦梁１３に接合される天井フレーム２０を搬入したときに該天井フレーム２０の固定プレート２３を引掛けセットするための仮受け用ボルト６２になる（図７）。
【００２７】
持出しアーム５０の庇取付部５２の水平片５２Ｂはガイドピン５４を鉛直に起立して備える。水平片５２Ｂの上に載る庇構造材３１の下面に設けてあるガイド孔３２をガイドピン５４に係入させる（図８）。
【００２８】
持出しアーム５０の庇取付部５２の本体５２Ａに取付けられる庇構造材３１は、庇構造材３１が備えるジョイントピース３３を天井フレーム２０の横材２１に取付けられる（図８）。また、持出しアーム５０の庇取付部５２の本体５２Ａに取付けられる庇構造材４１は、庇構造材４１が備える取付アーム４２を建物ユニット１０のジョイントピース１２Ａに取付けられる（図９）。
【００２９】
以下、ユニット建物１における庇３０、４０の取付手順について説明する（図６〜図１０）。
【００３０】
(A)建物ユニット１０への持出しアーム５０の取付工程
(1)持出しアーム５０を吊上げる（図６）。
【００３１】
(2)持出しアーム５０の建物取付部５１の取付片５３を建物ユニット１０の柱１１の前側面にボルト６１により固定する（図６）。
【００３２】
(B)建物ユニット１０への天井フレーム２０の据付工程
(1)持出しアーム５０の建物取付部５１を建物ユニット１０の柱１１に取付ける上下２段のボルト６２のうち、下段側のボルト６２を持出しアーム５０の建物取付部５１に挿通して建物ユニット１０の柱１１に仮締めする。このとき、ボルト６２の首下長さの一部を建物取付部５１に対して残しておく（図７（Ａ））。
【００３３】
(2)天井フレーム２０を吊上げ、天井フレーム２０の固定プレート２３の下縁切欠き溝を上述(1)のボルト６２（仮受け用ボルト）に引掛けセットする（図７（Ｂ））。
【００３４】
(3)天井フレーム２０の横材２１（Ｃ形鋼）の端部に内側よりスペーサ７１を設置し、ボルト６２をスペーサ７１、天井フレーム２０の固定プレート２３、持出しアーム５０の建物取付部５１に挿通して建物ユニット１０の柱１１に仮締めする（図７（Ｃ））。天井フレーム２０の固定プレート２３と持出しアーム５０の建物取付部５１の間にスペーサ７２、７３を挿入し、ボルト６３、６４を天井フレーム２０の固定プレート２３、スペーサ７２、７３、持出しアーム５０の建物取付部５１に挿通して建物ユニット１０の柱１１、横梁１２に仮締めする（図７（Ｃ））。ボルト６２〜６４を本締めする。
【００３５】
(C)庇３０のセット及び取付工程
(1)庇３０の庇構造材３１のガイド孔３２を持出しアーム５０の水平片５２Ｂのガイドピン５４に係入し、庇構造材３１を庇取付部５２の水平片５２Ｂに載せる（図８）。
【００３６】
(2)庇３０のジョイントピース３３を天井フレーム２０の横材２１の前側面にボルト６５により固定する（図８）。
【００３７】
(3)庇３０の庇構造材３１を持出しアーム５０の庇取付部５２の先端側の本体５２Ａにボルト６６で仮固定し、本体５２Ａと庇構造材３１の間にスペーサ７４を挿入したのち、ボルト６６を本締めする（図８）。
【００３８】
(D)庇４０のセット及び取付工程
(1)庇４０の庇構造材４１の取付アーム４２を建物ユニット１０のジョイントピース１２Ａにボルト６７により固定する（図９）。
【００３９】
(2)庇４０の庇構造材４１を持出しアーム５０の庇取付部５２の中間〜基端側（建物取付部５１の側）の本体５２Ａに添わせ、庇４０の庇構造材４１と前述(c)の庇３０の庇構造材３１で本体５２Ａを挟み、それらをボルト６８で仮固定し、本体５２Ａと庇構造材３１の間にスペーサ７５を挿入し、本体５２Ａと庇構造材４１の間にスペーサ７６を挿入したのち、ボルト６８を本締めする（図１０）。
【００４０】
本実施例によれば以下の作用効果を奏する。
(a)一方の建物ユニット１０を他方の建物ユニット１０に対して離し置きし、それらの建物ユニット１０と建物ユニット１０の間の離し置き空間の上部に設けられる天井フレーム２０をそれらの建物ユニット１０と建物ユニット１０に接合したユニット建物１において、建物ユニット１０の縦梁１３の側面であって、天井フレーム２０が接合される縦梁１３の側面に取付けられる持出しアーム５０をそれらの建物ユニット１０と天井フレーム２０の間の隙間から屋外方向に突出し、この持出しアーム５０の突出部に庇３０、４０の庇構造材３１、４１が取付けられるようにした。持出しアーム５０を建物ユニット１０と天井フレーム２０の間に挿入した長い範囲において強固に固定できるから、建物ユニット１０と天井フレーム２０の前面に庇３０、４０を垂れ下がりなく取付けることができる。
【００４１】
(b)持出しアーム５０の建物取付部５１が建物ユニット１０の縦梁１３に取付けられ、庇取付部５２の水平片５２Ｂの上に庇構造材３１（４１）の一部を載せた状態にして、庇構造材３１（４１）が持出しアーム５０の本体５２Ａに取付けられる。庇３０（４０）の荷重の一部が庇取付部５２の水平片５２Ｂにかかり、この庇取付部５２から縦梁１３に伝達される。従って、庇３０（４０）は長期経過時にも垂れ下がらない。
【００４２】
(c)持出しアーム５０の建物取付部５１を建物ユニット１０の縦梁１３に取付け、庇構造材３１（４１）の一部を庇取付部５２の水平片５２Ｂの上に載せながら、庇構造材３１（４１）を持出しアーム５０の本体５２Ａに取付けることにより、庇構造材３１、４１を容易に取付けできる。
【００４３】
(d)持出しアーム５０の庇取付部５２は建物取付部５１が延長されたほぼ鉛直な本体５２Ａと、この本体５２Ａの下端に設けられたほぼ水平な水平片５２Ｂとからなるから、持出しアーム５０のほぼ鉛直な建物取付部５１を建物ユニット１０の縦梁１３に取付けるだけで、この建物取付部５１が延長されたほぼ鉛直な本体５２Ａが建物ユニット１０から屋外方向に突出し、水平片５２Ｂが本体５２Ａの下端に水平に取付けられる。
【００４４】
(e)持出しアーム５０が建物取付部５１における庇取付部５２との境界からほぼ直角に張出る取付片５３を備え、この取付片５３が建物ユニット１０に取付けられる。従って、持出しアーム５０の建物取付部５１を建物ユニット１０に一層強固に固定できる。
【００４５】
(f)持出しアーム５０の建物取付部５１を建物ユニット１０の縦梁１３に取付けるボルト６２が、該建物ユニット１０の縦梁１３に接合される天井フレーム２０を搬入したときに該天井フレーム２０を引掛けセットするための仮受け用ボルト６２になるものとした。従って、建物ユニット１０の縦梁１３に対する天井フレーム２０のセットが容易になる。このセットのために天井フレーム２０を引掛ける仮受けボルト６２として、持出しアーム５０の建物取付部５１を建物ユニット１０の縦梁１３に取付けるボルト６２を兼用できる。
【００４６】
(g)持出しアーム５０の水平片５２Ｂにガイドピン５４を設け、該水平片５２Ｂの上に載る庇構造材３１（４１）に設けてあるガイド孔３２をガイドピン５４に係入させる。持出しアーム５０の庇取付部５２に対する庇構造材３１（４１）の取付位置の位置決めが容易になる。
【００４７】
(h)持出しアーム５０の本体５２Ａに取付けられる庇構造材３１、４１が、建物ユニット１０の横梁１２、又は天井フレーム２０の横材２１に取付けられる。庇構造材３１、４１を持出しアーム５０の本体５２Ａと、建物ユニット１０又は天井フレーム２０の双方に確実に固定できる。
【００４８】
以上、本発明の実施例を図面により詳述したが、本発明の具体的な構成はこの実施例に限られるものではなく、本発明の要旨を逸脱しない範囲の設計の変更等があっても本発明に含まれる。例えば、上述の実施例では、一方の建物ユニットに対して離し置きされる他方の建物構造物を建物ユニットとした。但し、本発明は、一方の建物ユニットに対して離し置きされる他方の建物構造物を一般建物構造物とするものにも適用できる。
【図面の簡単な説明】
【００４９】
【図１】図１は本発明が適用された一例としてのユニット建物の配置を示す模式平面図である。
【図２】図２は相隣る建物ユニットと天井フレームの前面に設けた庇の取付構造を示す平面図である。
【図３】図３は天井フレームを示す模式平面図である。
【図４】図４は持出しアームを示し、（Ａ）は平面図、（Ｂ）は側面図、（Ｃ）は端面図である。
【図５】図５は図４のＶ−Ｖ線に沿う断面図である。
【図６】図６は持出しアームの取付工程を示す模式図である。
【図７】図７は天井フレームの据付工程を示す模式図である。
【図８】図８は庇のセット工程を示す模式図である。
【図９】図９は庇の取付工程を示す模式図である。
【図１０】図１０は庇の取付工程を示す模式図である。
【符号の説明】
【００５０】
１  ユニット建物
２  離し置き空間
１０  建物ユニット
１１  柱
１２  横梁
１３  縦梁
２０  天井フレーム
２１  横材
２２  縦材
２３  固定プレート
３０  庇
３１  庇構造材
３２  ガイド孔
３３  ジョイントピース
４０  庇
４１  庇構造材
４２  取付アーム
５０  持出しアーム
５１  建物取付部
５２  庇取付部
５２Ａ  本体
５２Ｂ  水平片
５３  取付片
５４  ガイドピン
【図１】
2008255723.tif 000003
【図２】
2008255723.tif 000004
【図３】
2008255723.tif 000005
【図４】
2008255723.tif 000006
【図５】
2008255723.tif 000007
【図６】
2008255723.tif 000008
【図７】
2008255723.tif 000009
【図８】
2008255723.tif 000010
【図９】
2008255723.tif 000011
【図１０】
2008255723.tif 000012